(57)【要約】【課題】  小さい子供が介添えなしで、独りでも簡便且つ安全に洗顔や手洗いが行える洗面化粧台の提供。【解決手段】  洗面化粧台を形成する箱体の前方下部と左右方向の何れか片側部とを使用し、水平部が踏み台で、垂直部は引き出し把手で箱体内からの出入自在可能に構成するＬ字型或いは逆Ｌ字型の把手付踏み台を備えたことを特徴とする。このさい、把手付踏み台の踏み台部の高さ寸法を２０ｃｍ〜３０ｃｍ程度、巾寸法を７０ｃｍ〜８０ｃｍ程度、奥行き寸法を３０ｃｍ〜４０ｃｍ程度となしたり、踏み台底面にスライドローラやスライドレールを取付けたり、また踏み台を開閉蓋付き収納箱となしたりする。【選択図】      図３
0003111210.tif 000002
【実用新案登録請求の範囲】
【請求項１】
洗面化粧台を形成する箱体の前方下部と左右方向の何れか片側部とを使用し、水平部が踏み台で、垂直部は引き出し把手で箱体内からの出入自在可能に構成するＬ字型或いは逆Ｌ字型の把手付踏み台を備えてなる洗面化粧台。
【請求項２】
把手付踏み台の踏み台部の高さ寸法を２０ｃｍ〜３０ｃｍ程度、巾寸法を７０ｃｍ〜８０ｃｍ程度、奥行き寸法を３０ｃｍ〜４０ｃｍ程度となし、且つ踏み台底面にはスライドローラ及び、スライドレールが取付けてあることを特徴とする請求項１記載の洗面化粧台。
【請求項３】
前記踏み台を開閉蓋付き収納箱となしたことを特徴とする請求項１又は２記載の洗面化粧台。
【請求項４】
把手付踏み台の垂直部高さ寸法を凡そ６５ｃｍ〜７０ｃｍ程度となし、その適当高さ位置に把手を脱着自在に取付けてなる請求項１，２又は３記載の洗面化粧台。
【考案の詳細な説明】
【技術分野】
【０００１】
本考案は把手付踏み台を備えた洗面化粧台に関する。
【背景技術】
【０００２】
従来、一般住宅等において広く用いられる洗面化粧台は、床から洗面部までの高さを大人の背丈を基準としたもので、その高さ寸法は凡そ７０ｃｍ〜９０ｃｍ程度に設定されている。
【特許文献１】特開２００５−０００２２９
【考案の開示】
【考案が解決しようとする課題】
【０００３】
上記に示す洗面化粧台は大人の使用に適した高さに設定されているため、小さい子供などには高すぎて洗面部や蛇口までに手が届かず、独りでの使用が困難であった。このため、洗面化粧台付近に子供用の踏み台を別途据え付けてあったり、子供の使用にさいし、大人の介添えを必要としたりすることがある。
本考案は上記問題点を解決せんとするもので、小さい子供などが独りでも簡便且つ安全に洗顔や手洗いが行える洗面化粧台を市販に供せんとするものである。
【課題を解決するための手段】
【０００４】
本考案は、洗面化粧台を形成する箱体の前方下部と左右方向の何れか片側部とを使用し、水平部が踏み台で、垂直部は引き出し把手で箱体内からの出入自在可能に構成するＬ字型或いは逆Ｌ字型の把手付踏み台を備えたことを特徴とする。
【０００５】
このさい、把手付踏み台の踏み台部の高さ寸法を２０ｃｍ〜３０ｃｍ程度、巾寸法を７０ｃｍ〜８０ｃｍ程度、奥行き寸法を３０ｃｍ〜４０ｃｍ程度となしたり、踏み台底面にスライドローラやスライドレールを取付けたり、また踏み台を開閉蓋付き収納箱となしたりするのである。
【考案の効果】
【０００６】
本考案は以上の通り構成するものであって、洗面化粧台を形成する箱体の前方下部と左右方向の何れか片側部とを使用しＬ字型或いは逆Ｌ字型の把手付踏み台を備えたことで、小さい子供でも介添えなしに独りで簡便且つ安全に洗顔や手洗いができるものとなり、衣類の袖などを濡らすことも解消できるものとなる。
しかも、踏み台は箱体下部内へ収納可能となすため、別途踏み台を設ける必要がなくなり、年齢や身長等を問わず快適に使用することができるものとなる。
【０００７】
また、踏み台を開閉蓋付きの収納箱とすることにより、従来の箱体部以外にも収納スペースを広く確保することができ、備品等の収納に於いても著効となるのである。
【考案を実施するための最良の形態】
【０００８】
本考案の実施の形態について、以下図面を参照して説明する。
図１は本考案に係る洗面化粧台の正面図であり、１は洗面化粧台、２は洗面化粧台１に於ける鏡部、３は洗面化粧台１を形成する箱体である。
３ａは箱体３の前方下部と左右方向の何れか片側部とを使用し、水平部を踏み台、垂直部を引き出し把手ｅで箱体３内からの出入自在可能に構成するＬ字型或いは逆Ｌ字型（図１では逆Ｌ字型）の把手付踏み台である。
【０００９】
図２は本考案に係る洗面化粧台１の左側面図であって、把手付踏み台３ａを前方（矢印）方向に引き出した状態を示したものである。
把手付踏み台３ａは、図１及び図２に示す如くその高さ寸法Ｈを２０ｃｍ〜３０ｃｍ程度、巾寸法Ｗを７０ｃｍ〜８０ｃｍ程度、奥行き寸法Ｄを３０ｃｍ〜４０ｃｍ程度となされ、そのさい引き出し把手ｅは把手付踏み台３ａの凡そ６５ｃｍ〜７０ｃｍ程度（図１で示すＪ）となされる垂直部の適当高さ位置に脱着可能に取り付けられる。
なお、把手付踏み台３ａは図２に示す如く底面にスライドローラｇやスライドレールｋなどを取付けて出し入れ自在可能となすようになされる。
ｍは把手付踏み台３ａの水平部に於ける平面部への乗降動作が容易に行えるために設けられた手摺り板であり、また手摺りとしての安全使用を可能にするものである。
【００１０】
図３は箱体３に於ける把手付踏み台３ａの斜視図であって、図３に示す如く引き出し把手ｅを手で持って手前（矢印方向）に引き出し平面部を踏み台として使用するのである。
このさいｕは係止体であって、把手付踏み台３ａを引き出したさい、全体が箱体３から外れてしまうことを防止するためのものである。
【００１１】
図４は把手付踏み台３ａに於ける詳細図である。図４に示す如く把手付踏み台３ａは日用品などの備品を収納できる蓋板ｐ付きの収納箱となし、蓋板ｐは蝶番ｒなどの金具を用いて２つ折りで開閉したり、或いは蓋板ｐ全体を取り外して使用することを可能にするのである。該図面でｓは、その開閉や取り外し作業のさい手を差し入れ可能にしたスリット孔である。
【００１２】
図５は本考案に係る洗面化粧台１の使用状態図の一例である。即ち、子供の使用にさいしては、引き出し把手ｅを手で持って把手付踏み台３ａを手前（矢印方向）に引き出したのち、適宜手摺り板ｍを掴みながら水平部上の平面部へ載って洗顔や手洗いなどを行うのである。
また、把手付踏み台３ａ内への収納品の出し入れ作業も上記同様、把手付踏み台３ａを引き出したのち、蓋板ｐを引き上げて行うのである。
【００１３】
このように、本考案の洗面化粧台１は把手付踏み台３ａを備えることにより、背の低い子供などが介添えの必要もなく、独りで簡便且つ安全に洗面や手洗いが容易に行えるのであり、使用後は箱体３内へ収納されるため、別途踏み台を設けることなく置き場所にも困らないものとなるのである。
また、把手付踏み台３ａ内は収納箱としても使用可能となすため、物品の収納容積も大幅に拡大でき機能性に優れたものとなるのである。
【図面の簡単な説明】
【００１４】
【図１】本考案に係る洗面化粧台の正面図である。
【図２】本考案に係る洗面化粧台の左側面図である。
【図３】箱体に於ける把手付踏み台の斜視図である。
【図４】把手付踏み台に於ける詳細図である。
【図５】本考案に係る洗面化粧台の使用状態図の一例である。
【符号の説明】
【００１５】
１      洗面化粧台
２      鏡部
３      箱体
３ａ    把手付踏み台
ｅ      引き出し把手
ｇ      スライドローラ
ｋ      スライドレール
ｍ      手摺り板
ｐ      蓋板
ｒ      蝶番
ｓ      スリット孔
ｕ      係止体
【図１】
0003111210.tif 000003
【図２】
0003111210.tif 000004
【図３】
0003111210.tif 000005
【図４】
0003111210.tif 000006
【図５】
0003111210.tif 000007